(57)【要約】【課題】  配信され、他の機器での再生が制限されるようなメディアコンテンツが記録されても、他の端末でも十分再生可能なようにする。【解決手段】  ＤＶＤ／ＨＤＤレコーダ７は、メディアコンテンツを内蔵チューナにより受信してＤＶＤ記録媒体や内蔵のＨＤＤに記録するとともに、外部の携帯端末で再生可能なデータに変換して外部記録媒体８に記録する。このとき、メディアコンテンツがコピーワンスである場合、再生すべき携帯電話９を特定し、暗号化して外部記録媒体８に記録する。携帯電話９は、着脱可能に装着された外部記録媒体８に記録されているメディアコンテンツが暗号化されている場合、放送システム１から暗号解除のための解除コードを受信し、メディアコンテンツの暗号化を解除して再生する。【選択図】  図１
2006319741.tif 000002
【特許請求の範囲】
【請求項１】
配信されたメディアコンテンツを記録する記録手段と、
この記録手段に記録されたメディアコンテンツに、他の機器での再生が制限されている情報が付与されているか否かを判断する判断手段と、
この判断手段によって前記再生が制限されている情報が付与されていると判断された場合、当該メディアコンテンツを暗号化して、外部の端末装置で再生可能なデータに変換する変換手段と、
この変換手段によって変換されたデータを外部の記録媒体に記録する記録制御手段と
を具備することを特徴とする記録装置。
【請求項２】
前記メディアコンテンツは、所定のアスペクト比で表示される映像情報であり、
前記外部の端末装置の表示解像度を判断する解像度判断手段をさらに具備し、
前記変換手段は、前記解像度判断手段によって判断された表示解像度に従って、前記映像情報を前記外部の端末装置で再生可能なデータに変換することを特徴とする請求項１記載の記録装置。
【請求項３】
前記メディアコンテンツは、所定の符号化方式で符号化された音声情報であり、
前記外部の端末装置の音声復号化方式を判断する復号化判断手段をさらに具備し、
前記変換手段は、前記復号化判断手段によって判断された音声復号化方式に従って、前記音声情報を前記外部の端末装置で再生可能なデータに変換することを特徴とする請求項１記載の記録装置。
【請求項４】
配信されたメディアコンテンツをメモリを備えた記録装置のデータ変換方法であって、
前記メモリに記録されたメディアコンテンツに、他の機器での再生が制限されている情報が付与されているか否かを判断する判断ステップと、
前記判断ステップにて前記再生が制限されている情報が付与されていると判断された場合、前記メディアコンテンツを暗号化して、外部の端末装置で再生可能なデータに変換する変換ステップと、
この変換ステップにて変換されたデータを外部の記録媒体に記録する記録制御ステップと
からなることを特徴とするデータ変換方法。
【請求項５】
コンピュータに、
配信されたメディアコンテンツを記録する記録手段、
この記録手段に記録されたメディアコンテンツに、他の機器での再生が制限されている情報が付与されているか否かを判断する判断手段、
前記メディアコンテンツに前記判断手段によって前記再生が制限されている情報が付与されていると判断された場合、当該メディアコンテンツを暗号化して、外部の端末装置で再生可能なデータに変換する変換手段、
この変換手段によって変換されたデータを外部の記録媒体に記録する記録制御手段
として機能させることを特徴とするデータ変換プログラム。
【請求項６】
配信されたメディアコンテンツを記録する記録手段とこの記録手段に記録されたメディアコンテンツを外部の端末装置で再生可能なデータに変換する変換手段とこのデータを記録媒体へ記録させる記録制御手段とを備えた記録装置と、前記記録媒体を備えるか装着することにより前記変換されたデータを再生する再生手段を備えた端末装置と、からなるメディアコンテンツ入出カシステムにおいて、
前記記録装置は、
前記メディアコンテンツに他の機器での再生が制限されている情報が付与されているか否かを判断する判断手段と、
この判断手段によって前記再生が制限されている情報が付与されていると判断された場合、前記変換手段に対し、変換すべきメディアコンテンツを暗号化して再生可能なデータに変換するよう制御する変換制御手段とをさらに備え、
前記端末装置は、
前記記録媒体に記録されたデータを再生する際、当該データが暗号化されているか否かを判断する暗号化判断手段と、
この暗号化判断手段によって暗号化されていると判断した場合、前記再生手段に対し当該データを暗号化解除して再生するよう制御する再生制御手段とをさらに備えたことを特徴とするメディアコンテンツ入出カシステム。
【請求項７】
前記端末装置は、
暗号化解除するための解除情報を受信する受信手段をさらに備え、
前記再生制御手段は、この受信手段によって受信された解除情報に従って前記データを暗号化解除して再生することを特徴とする請求項６に記載のメディアコンテンツ入出カシステム。
【発明の詳細な説明】
【技術分野】
【０００１】
本発明は、配信されたメディアコンテンツを記録する記録装置、データ変換方法、データ変換プログラム、及び、メディアコンテンツ入出カシステムに関する。
【背景技術】
【０００２】
近年、携帯電話に代表される端末装置は、外部ネットワーク接続機能や撮像機能をはじめ多種多様な機能を備えるまでに至っている。また、放送局より配信される番組等のメディアコンテンツを端末自身で受信するか、放送チューナを介して記録されたデジタルレコーダを介して転送記録されたメディアコンテンツを、無線通信媒体を介して取り込み、再生したりする機能を有する端末装置が登場しつつあり、更には、これらの端末装置の表示面積や復号化手段（ハードウェアやミドルウェア）を考慮してメディアコンテンツのフォーマット形式を変換する機能を有する技術も考えられている（例えば特許文献１参照）。
【０００３】
【特許文献１】特開２００４−９６３９４号公報
【発明の開示】
【発明が解決しようとする課題】
【０００４】
しかしながら、放送局が配信する画面のアスペクト比が１６：９（ワイド）標準になった場合、この画面を一義的に端末装置が備えるディスプレイのサイズにあわせると、メディアコンテンツ（映像）が崩されてしまい、快適に端末装置に表示できないという問題点がある。また、上記デジタル地上波放送システムでは、一度記録した番組の複製を禁止する技術（コピーワンス）を採用する傾向にあり、一度記録した番組（メディアコンテンツ）を他の機器に複製して記録させることは不可能である。
【０００５】
そこで本発明は、このような問題点に鑑みてなされるものであり、配信され、他の機器での再生が制限されるようなメディアコンテンツが記録されても、外部の端末装置でも十分再生可能なようにする記録装置、データ変換方法、データ変換プログラム、及び、メディアコンテンツ入出カシステムを提供することを目的とする。
【課題を解決するための手段】
【０００６】
上記目的達成のため、請求項１記載の発明による記録装置は、配信されたメディアコンテンツを記録する記録手段と、この記録手段に記録されたメディアコンテンツに、他の機器での再生が制限されている情報が付与されているか否かを判断する判断手段と、この判断手段によって前記再生が制限されている情報が付与されていると判断された場合、当該メディアコンテンツを暗号化して、外部の端末装置で再生可能なデータに変換する変換手段と、この変換手段によって変換されたデータを外部の記録媒体に記録する記録制御手段とを具備することを特徴とする。
【０００７】
また、好ましい態様として、例えば請求項２記載のように、請求項１記載の記録装置において、前記メディアコンテンツは、所定のアスペクト比で表示される映像情報であり、前記外部の端末装置の表示解像度を判断する解像度判断手段をさらに具備し、前記変換手段は、前記解像度判断手段によって判断された表示解像度に従って、前記映像情報を前記外部の端末装置で再生可能なデータに変換するようにしてもよい。
【０００８】
また、好ましい態様として、例えば請求項３記載のように、請求項１記載の記録装置において、前記メディアコンテンツは、所定の符号化方式で符号化された音声情報であり、前記外部の端末装置の音声復号化方式を判断する復号化判断手段をさらに具備し、前記変換手段は、前記復号化判断手段によって判断された音声復号化方式に従って、前記音声情報を前記外部の端末装置で再生可能なデータに変換するようにしてもよい。
【０００９】
また、上記目的達成のため、請求項４記載の発明によるデータ変換方法は、配信されたメディアコンテンツをメモリを備えた記録装置のデータ変換方法であって、前記メモリに記録されたメディアコンテンツに、他の機器での再生が制限されている情報が付与されているか否かを判断する判断ステップと、前記判断ステップにて前記再生が制限されている情報が付与されていると判断された場合、前記メディアコンテンツを暗号化して、外部の端末装置で再生可能なデータに変換する変換ステップと、この変換ステップにて変換されたデータを外部の記録媒体に記録する記録制御ステップとからなることを特徴とする。
【００１０】
また、上記目的達成のため、請求項５記載の発明によるデータ変換プログラムは、コンピュータに、配信されたメディアコンテンツを記録する記録手段、この記録手段に記録されたメディアコンテンツに、他の機器での再生が制限されている情報が付与されているか否かを判断する判断手段、前記メディアコンテンツに前記判断手段によって前記再生が制限されている情報が付与されていると判断された場合、当該メディアコンテンツを暗号化して、外部の端末装置で再生可能なデータに変換する変換手段、この変換手段によって変換されたデータを外部の記録媒体に記録する記録制御手段として機能させることを特徴とする。
【００１１】
また、上記目的達成のため、請求項６記載の発明によるメディアコンテンツ入出カシステムは、配信されたメディアコンテンツを記録する記録手段とこの記録手段に記録されたメディアコンテンツを外部の端末装置で再生可能なデータに変換する変換手段とこのデータを記録媒体へ記録させる記録制御手段とを備えた記録装置と、前記記録媒体を備えるか装着することにより前記変換されたデータを再生する再生手段を備えた端末装置と、からなるメディアコンテンツ入出カシステムにおいて、前記記録装置は、前記メディアコンテンツに他の機器での再生が制限されている情報が付与されているか否かを判断する判断手段と、この判断手段によって前記再生が制限されている情報が付与されていると判断された場合、前記変換手段に対し、変換すべきメディアコンテンツを暗号化して再生可能なデータに変換するよう制御する変換制御手段とをさらに備え、前記端末装置は、前記記録媒体に記録されたデータを再生する際、当該データが暗号化されているか否かを判断する暗号化判断手段と、この暗号化判断手段によって暗号化されていると判断した場合、前記再生手段に対し当該データを暗号化解除して再生するよう制御する再生制御手段とをさらに備えたことを特徴とする。
【００１２】
また、好ましい態様として、例えば請求項７記載のように、請求項６に記載のメディアコンテンツ入出カシステムにおいて、前記端末装置は、暗号化解除するための解除情報を受信する受信手段をさらに備え、前記再生制御手段は、この受信手段によって受信された解除情報に従って前記データを暗号化解除して再生するようにしてもよい。
【発明の効果】
【００１３】
請求項１記載の発明によれば、配信されたメディアコンテンツを記録手段に記録し、判断手段により、この記録手段に記録されたメディアコンテンツに、他の機器での再生が制限されている情報が付与されているか否かを判断し、この判断手段によって前記再生が制限されている情報が付与されていると判断された場合、変換手段により、当該メディアコンテンツを暗号化して、外部の端末装置で再生可能なデータに変換し、記録制御手段により、変換されたデータを外部の記録媒体に記録するようにしたので、外部の端末装置で十分再生可能にメディアコンテンツを記録することができるという利点が得られる。
【００１４】
また、請求項２記載の発明によれば、解像度判断手段により、前記外部の端末装置の表示解像度を判断し、前記変換手段により、判断された表示解像度に従って、前記映像情報を前記外部の端末装置で再生可能なデータに変換するようにしたので、外部の端末装置の表示解像度に適合したメディアコンテンツを該端末装置で十分再生可能に記録することができるという利点が得られる。
【００１５】
また、請求項３記載の発明によれば、復号化判断手段により、前記外部の端末装置の音声復号化方式を判断し、前記変換手段により、判断された音声復号化方式に従って、前記音声情報を前記外部の端末装置で再生可能なデータに変換するようにしたので、外部の端末装置の音声符号化方式に適合したメディアコンテンツを該端末装置で十分再生可能に記録することができるという利点が得られる。
【００１６】
また、請求項４記載の発明によれば、前記メモリに記録されたメディアコンテンツに、他の機器での再生が制限されている情報が付与されているか否かを判断する判断ステップと、前記判断ステップにて前記再生が制限されている情報が付与されていると判断された場合、前記メディアコンテンツを暗号化して、外部の端末装置で再生可能なデータに変換する変換ステップと、この変換ステップにて変換されたデータを外部の記録媒体に記録する記録制御ステップとからなるようにしたので、外部の端末装置で十分再生可能にメディアコンテンツを記録することができるという利点が得られる。
【００１７】
また、請求項５記載の発明によれば、コンピュータに、配信されたメディアコンテンツを記録する記録手段、この記録手段に記録されたメディアコンテンツに、他の機器での再生が制限されている情報が付与されているか否かを判断する判断手段、前記メディアコンテンツに前記判断手段によって前記再生が制限されている情報が付与されていると判断された場合、当該メディアコンテンツを暗号化して、外部の端末装置で再生可能なデータに変換する変換手段、この変換手段によって変換されたデータを外部の記録媒体に記録する記録制御手段として機能させるようにしたので、外部の端末装置で十分再生可能にメディアコンテンツを記録することができるという利点が得られる。
【００１８】
また、請求項６記載の発明によれば、前記記録装置では、判断手段により、前記メディアコンテンツに他の機器での再生が制限されている情報が付与されているか否かを判断し、変換制御手段により、前記再生が制限されている情報が付与されていると判断された場合、前記変換手段に対し、変換すべきメディアコンテンツを暗号化して再生可能なデータに変換するよう制御し、前記端末装置では、前記記録媒体に記録されたデータを再生する際、暗号化判断手段により、当該データが暗号化されているか否かを判断し、暗号化されていると判断した場合、再生制御手段により、前記再生手段に対し当該データを暗号化解除して再生するよう制御するようにしたので、著作権等が設定されたメディアコンテンツであっても、外部の端末装置で十分再生することができるという利点が得られる。
【００１９】
また、請求項７記載の発明によれば、前記再生制御手段により、この受信手段によって受信された暗号化解除するための解除情報に従って前記データを暗号化解除して再生するようにしたので、著作権等が設定されたメディアコンテンツであっても、外部の端末装置で十分再生することができるという利点が得られる。
【発明を実施するための最良の形態】
【００２０】
以下、本発明の実施の形態を、図面を参照して説明する。
【００２１】
Ａ．実施形態の構成
図１は、本発明の実施形態によるメディアコンテンツシステムの構成を示すブロック図である。図において、デジタル放送システム１は、後述するＷＷＷ３もしくは放送システム１５を介して配信すべきメディアコンテンツを保持・管理する。該デジタル放送システム１は、配信システム１１、認証システム１２、ゲートウェイサーバ１３、メディアコンテンツデータベース１４からなる。
【００２２】
配信システム１１は、メディアコンテンツサーバ１４に記録されているメディアコンテンツを配信する。認証システム１２は、ＷＷＷ３を介して、メディアコンテンツを配信する際のユーザ認証を行う（後述の再生許可フローにて説明）。ゲートウェイサーバ１３は、携帯電話９からのアクセスに従ってセッションの確立し、録画した番組の暗号解除を行うための解除コードを送信する（後述の再生許可フローにて説明）。メディアコンテンツデータベース１４は、複数のメディアコンテンツを記録している。放送システム１５は、デジタル放送システム１から配信されるメディアコンテンツをＯＦＤＭ（Orthogonal Frequency Division Multiplexing：直交周波数分割多重）方式で変調して、放送アンテナ１６を介して地上波デジタル放送として一斉放送する。
【００２３】
ＩＳＰ（インターネット・サービス・プロバイダ）４は、家庭内ＬＡＮをＷＷＷ３に接続する。家庭内ＬＡＮには、ルータ＆ＡＤＳＬモデム６を介して、テレビ５、ＤＶＤ／ＨＤＤレコーダ７などが接続されている。テレビ５は、家庭内に設置され、放送システム１５が放送アンテナ１６を介して放送するメディアコンテンツを受信して再生したり、ＤＶＤ／ＨＤＤレコーダ７により記録されたメディアコンテンツを再生したりする。
【００２４】
ＤＶＤ／ＨＤＤレコーダ７は、放送システム１５によって放送されるメディアコンテンツを内蔵チューナにより受信し、ＤＶＤ記録媒体や内蔵のＨＤＤに記録する。また、該ＤＶＤ／ＨＤＤレコーダ７は、着脱可能に装着された外部記録媒体８に受信・記録したメディアコンテンツを記録（転送）する。携帯電話（無線通信端末／データ通信装置）９は、デジタル放送受信機能を備えたものであり、上記着脱可能に装着された外部記録媒体８に記録されているメディアコンテンツを再生する。
【００２５】
無線通信サービス事業者（兼ＩＳＰ）２１は、デジタル放送システム１からＷＷＷ３を介して配信されるメディアコンテンツを受信し、基地局２２、２２、２２を介してそれぞれの通信圏内に配信する。
【００２６】
上述したメディアコンテンツ（番組データ）は、コピーワンス技術がかけられている（従って、ＤＶＤ／ＨＤＤレコーダ７に記録された番組は、原則的に外部に転送できない）。そこで、本実施形態では、再生すべき端末装置（携帯電話）を特定すること、そして、その端末装置よりデジタル放送システム１へ再生許可を取得することで、ＤＶＤ／ＨＤＤレコーダ７からＭＰＥＧ−４形式に変換して外部記録媒体８に記録したメディアコンテンツを再生できるようにする。なお、有料放送の場合には、別途デジタル放送システムに対して予め登録するなどして、視聴要求すると課金されるようにすればよい。
【００２７】
次に、図２は、本実施形態によるＤＶＤ／ＨＤＤレコーダ７の構成を示すブロック図である。図において、チューナ部７０１は、ＯＦＤＭ方式により変調された一放送局あたり５．５７ＭＨｚの帯域（１セグメントあたり４２９ＫＨｚ）で１３セグメントに分割された搬送波のうち、中央の１セグメント以外の、１２セグメントのＭＰＥＧ−２（ＴＳ）のデータを受信／復調する。
【００２８】
管理情報記憶部７０２は、図３に示すように、ＭＰＥＧ−４変換テーブル７０２１、記録内容テーブル７０２２およびその他設定内容記憶領域７０２３からなる。ＭＰＥＧ−４変換テーブル７０２１は、図４に示すように、機種（型番）７０２１１、表示解像度（サイズ）７０２１２、音声復号化方式７０２１３、ステレオ再生（の有無）７０２１４、拡張子７０２１５からなる。
【００２９】
該ＭＰＥＧ−４変換テーブル７０２１は、記録媒体（ＨＤＤ）７１４、若しくはＤＶＤ等の記録媒体７１３に記録されたＭＰＥＧ−２形式のメディアコンテンツの所定のフレーム区間を、再生すべき携帯電話の能力（表示解像度、音声符号化方式）に応じてＭＰＥＧ−４形式のデータに変換するために備えられるもので、機種（型番）７０２１１が指定されると、それに応じて、表示解像度７０２１２、音声符号化方式７０２１３等々が決定され、その方式でＭＰＥＧ−２（ＴＳ）／ＭＰＥＧ−４変換処理部７１１で、対応するＭＰＥＧ−４形式のファイルに変換される。
【００３０】
また、記録内容テーブル７０２２は、図５に示すように、格納位置アドレス７０２２１、番組フラグ７０２２２、放送局７０２２３、番組コード７０２２４、著作権フラグ７０２２５、インデックス情報７０２２６からなる。該記録内容テーブル７０２２は、記録媒体（ＨＤＤ）７１４、若しくはＤＶＤ等の記録媒体７１３に記録されたＭＰＥＧ−２形式のファイルの詳細情報を管理記憶するものであり、受信したメディアコンテンツも記録できれば、ＤＶＣ（デジタルビデオカメラ）で記録し、取り込んだＭＰＥＧ−２ファイルも管理する。
【００３１】
番組フラグ７０２２２は、チューナ部７０１を介して取り込まれたＭＰＥＧ−２（ＴＳ）ファイルに対してセットされるものであり、これがセットされると、放送局や放送局側で管理され多重化されて受信した番組コードが記録される。また、デジタル地上波放送やＢＳハイビジョン放送の場合には、著作権フラグ７０２２５がセットされ、既存の機器ではコピー転送、他の機器への書き出しが不可能になる。但し、地上波デジタル放送については、有料化されることが前提でないため、課金問題を前提とした複製禁止というより、単に著作権を考えた上での複製禁止の意味合いがある。
【００３２】
著作権フラグ７０２２５がセットされたメディアコンテンツについては、ＭＰＥＧ−４形式のデータに変換した場合、放送局７０２２３、番組コード７０２２４に応じた暗号化がかけられ、放送局１に通知しない許可を得ない限り、外部記録媒体８を介して携帯電話９に転送しても再生できないようになっている。インデックス情報７０２２６は、当該番組の詳細情報（放映日時／時間、出演者等々）に相当する。
【００３３】
制御部７０３は、所定のプログラムに従って、各部を制御する。特に、本実施形態では、制御部７０３は、記録媒体（ＨＤＤ）７１４、若しくはＤＶＤ等の記録媒体７１３に記録されたＭＰＥＧ−２形式のメディアコンテンツの一覧表示、選択されたメディアコンテンツのインデックス（放送局／番組情報など）の表示、メディアコンテンツの所定フレーム区間の決定、再生すべき携帯電話の機種に従う画面サイズ、映像符号化／音声符号化方式の決定、メディアコンテンツの暗号化、ＭＰＥＧ−２形式からＭＰＥＧ−４への変換指示、外部記録媒体８への記録制御などを行う。
【００３４】
ＭＰＥＧ−２（ＴＳ）復号化回路７０４は、チューナ部７０１により受信／復調されたＭＰＥＧ−２（ＴＳ）ファイルのＴＳに従って、ビデオデータやオーディオデータ、データ放送用の各種データをデコードする。映像処理部７０５は、出力すべき機器（ＴＶ５、ビデオモニタ、ＰＣ等）に応じて映像を最適化する。音声処理部７０６は、出力すべき機器（ＴＶ５、ビデオモニタ、ＰＣ等）に応じて音声を最適化する。
【００３５】
ＡＶ  Ｉ／Ｏ７０７は、映像処理部７０５からの映像、音声処理部７０６からの音声をテレビ５へ出力する。通信処理部７０８は、ＬＡＮ接続のためのハード＆ソフトウェアである。外部記録媒体用スロット７０９は、外部記録媒体８を装着するためのインターフェースである。外部記録媒体８は、着脱可能となっており、後述するＭＰＥＧ−２（ＴＳ）／ＭＰＥＧ−４変換処理部７１１により変換されたＭＰＥＧ−４ファイルを記憶する。該外部記録媒体８は、携帯電話９に装着可能となっている。操作部７１０は、リモートコントローラを含み、チャンネルボタン、音量ボタン、電源ボタン、再生、録画、巻き戻し、早送り、一時停止などを備えている。
【００３６】
特に、本実施形態では、リモートコントローラを含む操作部７１０は、記録済データの一覧表示を指示したり、外部記録媒体８に書き出すメディアコンテンツを選択したり、外部記録媒体８に書き出すメディアコンテンツの所定フレーム区間（第１のインデックスマークから第２のインデックスマークまでの区間）を指定したり、再生すべき携帯電話９の機種を選択したりするために用いられる。
【００３７】
ＭＰＥＧ−２（ＴＳ）／ＭＰＥＧ−４変換処理部７１１は、ＭＰＥＧ−４変換テーブル７０２１の表示解像度７０２１２、音声符号化方式７０２１３等々の方式に従って、記録媒体（ＨＤＤ）７１４、若しくはＤＶＤメディア（ＤＶＤ±Ｒ、±ＲＷ、−ＲＡＭなど）７１３に記録されたＭＰＥＧ−２形式のメディアコンテンツの所定のフレーム区間を、再生すべき携帯電話の能力（表示解像度、音声符号化方式）に応じたてＭＰＥＧ−４形式のデータに変換する。書き込み／読み出し処理部７１２は、ＤＶＤメディア７１３へＭＰＥＧ−２形式のデータを記録する一方、ＤＶＤメディア７１３に記録されているＭＰＥＧ−２形式のデータを読み出す。記録媒体（ＨＤＤ）７１４は、ＭＰＥＧ−２形式で録画データを記録する。ＲＡＭ７１５は、制御部７０３のワーキングエリア、各種データの一時記録エリア、パラメータの記録エリア等からなる。
【００３８】
次に、図６は、本実施形態に係る携帯電話９の蓋を開いた状態の正面図に相当する外観図である。図示のように、蓋部３２は、本体部３３に対し第１ヒンジ部１００を回転軸として開閉可能（矢印α）に配置されているほか、第２ヒンジ部４２を回転軸として回転可能（矢印β）になっている。蓋部３２は、スピーカ３５、表示部３６、サブスピーカ３７、データ通信用の内蔵アンテナ（図示略）を内蔵している。
【００３９】
スピーカ３５は、ダイナミックスピーカであり、蓋部３２の内面に配置されている。表示部３６は、蓋部３２の内面に配置され、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。第１ヒンジ部１００は、蓋部３２に連繋されて該蓋部３２と一体的に回転する可動部１０１と、本体部３３側に固定されるとともに可動部１０１の両側に設けられた左右一対の固定部１０２、１０３とで構成されている。
【００４０】
本体部３３は、キー入力部８０とマイク４０とを備える。キー入力部８０は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。
【００４１】
ここで、図７は、携帯電話９をムービー再生モードでユーザが保持している場合を示す模式図である。上述した携帯電話９は、第１ヒンジ部１００を回転軸として１８０度回転させ、かつ第２ヒンジ部４２を回転軸として９０度回転させ、図７に示すように、表示部３６を横長方向にして両手ＬＨ、ＲＨで把持することで、１６：９のワイド画面でムービーを観賞することができるようになっている。
【００４２】
次に、図８は、本実施形態による携帯電話９の構成を示すブロック図である。図において、受信信号処理部９０１は、データ通信モードの開始指示をスイッチ回路９０５１より受けると、外部の無線基地局とのネゴシエーション（端末認証、回線接続）を開始し、通信帯域幅を一時的に占有する処理を行う。そして、内蔵アンテナ９０２により受信された無線信号より自機宛に符号変調された信号を抽出して、スイッチ回路９０５１を介して通信データ処理部９０５２に出力する。
【００４３】
通信信号処理部９０３は、待受け状態においても、また、データ通信モードにおいても、常に電源供給されており、通信データ処理部９０５２からのデジタル変調信号（送信音声データ、メールデータ、ネットワーク接続情報を含むパケットデータ）を、符号変調してメインアンテナ９０４より出力する。また、一方で、無線基地局より送信され、メインアンテナ９０４により受信された無線信号より自機宛に符号変調された信号を抽出して、スイッチ回路９０５１を介して通信データ処理部９０５２に出力する。
【００４４】
第１制御部９０５は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話９は２つの制御部を備えており、通信処理全般については第１制御部９０５、その他、撮影処理、画像処理、および、映像の再生処理に関しては後述の第２制御部９０９で行う。
【００４５】
スイッチ回路９０５１は、通信データ処理部９０５２からの制御信号を受け、受信信号処理部９０１、通信信号処理部９０３への電源供給、処理動作開始終了の制御を行う。詳細には、通常電源オン状態、もしくは、受信ＯＮモード状態であれば、通信信号処理部９０３のみに電源を供給して動作させ、一方で、ユーザがネットワーク接続キーを操作したか、あるいは、予め設定されたスケジュールに従い、データ通信モードの開始が指示された場合は、受信信号処理部９０１と通信信号処理部９０３とを動作させる。
【００４６】
通信データ処理部９０５２は、音声処理部９０５５より出力されたＣＥＬＰ系デジタル音声データをＰＳＫ系方式に対応する信号に変調、及び拡散符号に変調するとともに、受信信号処理部９０１、通信信号処理部９０３にて受信される符号変調された信号をＰＳＫ系方式、及び／又は、ＱＡＭ系方式のデジタル信号に復号する処理を行う。
【００４７】
システムＲＯＭ９０５３は、通信制御のための制御プログラムを格納する。本実施の形態の特徴としては、通常の通信ネゴシエーションプログラムの他に受信信号処理部９０１と通信信号処理部９０３との動作切替制御プログラムを記憶する。これにより、データ通信モードの開始が指示された場合に、メインアンテナ９０４と内蔵アンテナ９０２によるスペースダイバーシチ受信を行わせて、一時的に通信帯域幅を占有し、受信信号処理部９０１、通信信号処理部９０３の双方より出力される符号変調された信号をほぼ同時にＱＡＭ系方式のデジタル信号に復号、合成して、インターフェース処理部９０５４を介してバス９０８に出カする。
【００４８】
音声処理部９０５５は、ＣＥＬＰ系の音声変調／復調システムと、ＭＰＥＧオーディオ系の音声復調システムとを備え、通話状態においては、スイッチ回路９０５６に供給してスピーカ３５から出力するとともに、マイク４０から入力される音声を取り込む。
【００４９】
スイッチ回路９０５６は、通話状態においては、音声処理部９０５５から出力されるアナログ音声をメインスピーカ３５から出力させるともに、後述のムービー再生モードにおいては、オーディオアンプ９０５７を介してムービーファイルに格納されるオーディオ信号をメインスピーカ３５から出力させる処理を行う一方、ムービーファイルに格納されるオーディオデータがステレオ対応である場合、オーディオ信号（Ｒ）をメインスピーカ３５から出力させる処理を行う。スイッチＳＷは、第２制御部２２からの制御により、ムービーファイルに格納されるオーディオデータがステレオ対応である場合、音声出力系ドライバ９１６からのオーディオ信号（Ｌ）をサブスピーカ３７に出力する。
【００５０】
第２制御部９０９は、ムービー再生モードにおけるデータ通信モードによりダウンロードしたムービーファイルや、カメラモードにおける静止画／動画の再生表示処理、及び、カメラモードにおける撮影処理全般の制御、また、本発明においては、データ通信モードによりダウンロードしたＨＥ−ＡＡＣ形式のオーディオファイルを伸張・復号して再生可能な楽音データに変換する処理も行う。
【００５１】
プログラムＲＯＭ９１０は、ムービー再生モード、カメラモード、アラーム報知の際のオーディオファイルの伸張・復号・再生出力に関する各処理プログラムを格納する。ＲＡＭ９１１は、データ通信処理や、音声通信において必要とされる各種データを記憶する。
【００５２】
圧縮伸張処理部９１２は、ＭＰＥＧ−２、ＭＰＥＧ−４に対応し、カメラモードにて撮影された静止画／動画を圧縮処理するとともに、ムービー再生モードにおけるデータ通信モードによりダウンロ−ドしたムービーファイルや、カメラモードにおける静止画／動画、外部記憶媒体８に記憶されているメディアコンテンツを伸張処理する。
【００５３】
報知ドライバ９１３は、着信処理を検出した際、これを光の点滅や、着信報知音、アラーム報知におけるアラーム音や楽曲などにより報知せしめるために報知用ＬＥＤ９１４、スピーカ９１５を動作させる。音声出力系ドライバ９１６は、ムービー再生モードや、アラーム報知における楽曲の再生においては、ムービーファイルに格納されるオーディオデータやオーディオファイルがステレオ対応である場合、ステレオ音声信号を出力する。スイッチＳＷは、楽曲の再生において、ステレオ対応である場合、第２制御部９０９からの制御により、オン状態となる。
【００５４】
また、カメラレンズ９３０の後段には、ＣＣＤ、若しくはＣＭＯＳ等のイメ−ジセンサと光学ズーム用のステップモータからなる撮像デバイス９３１と、この撮像デバイスで撮り込まれたアナログ信号をデジタル信号に変換し、イメージデータを生成するためのＤＳＰ９３２とが備えられている。メモリカードスロット９４０には、ＳＤカードなどの外部記録媒体８が装着される。
【００５５】
表示部３６は、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。表示バッファ９４２は、表示部３６に表示すべき画像データを一時的に格納する。該表示バッファ９４２に格納された画像データは、所定のタイミングで更新される。表示ドライバ９４３は、表示バッファ９４２への書き込み開始／終了アドレスの制御を行う。特に、ムービー再生モードにおいては、表示部３６の長手方向を横位置として動画を再生表示すべく、表示ドライバ９４３にワイドスクリーン表示が設定される。
【００５６】
Ｂ．実施形態の動作
次に、上述した実施形態の動作について説明する。
Ｂ−１．ＭＰＥＧ−４変換動作（ＤＶＤ／ＨＤＤレコーダ７）
図９ないし図１１は、ＤＶＤ／ＨＤＤレコーダ７のＭＰＥＧ−４変換動作を説明するためのフローチャートである。まず、記録済データの一覧表示の指示を検出したか否かを判断し（ステップＳ１０）、一覧表示指示が検出されない場合には、他の該当処理へ進む（ステップＳ１２）。一方、記録済データの一覧表示の指示を検出した場合には、管理情報記憶部７０２から記録済データの一覧を読み出し、テレビ５に出力する（ステップＳ１４）。
【００５７】
次に、記録済データの選択操作を検出したか否かを判断し（ステップＳ１６）、テレビ５に表示されている記録済データの一覧から、いずれかの記録済データが選択されると、選択された記録済データのインデックス（詳細：例えば放送局／番組情報）をテレビ５に表示出力する（ステップＳ１８）。次に、再生指示が検出されたか否かを判断する（ステップＳ２０）。そして、再生指示が検出されると、その記録済データを再生出力し（ステップＳ２２）、書き出し実行指示が検出されたか否かを判断する（ステップＳ２４）。書き出し実行指示が検出されない場合には、記録済データの再生出力を継続する。
【００５８】
一方、書き出し実行指示が検出されると、指示検出時点のストリームデータに第１のインデックスマークを記録する（ステップＳ２６）。次に、書き出し終了指示が検出されたか否かを判断し（ステップＳ２８）、指示が検出されなければ、再生終了指示が検出されたか否かを判断する（ステップＳ３０）。そして、再生終了指示が検出さなければ、ステップＳ２８へ戻り、上記判断処理を継続する。したがって、再生出力が継続される。一方、書き出し終了指示または再生終了指示が検出されると、第２のインデックスマークを記録する（ステップＳ３２）。
【００５９】
次に、機種選択メニューを表示出力し（ステップＳ３４）、再生する機種選択が検出されたか否かを判断する（ステップＳ３６）。そして、機種選択メニューから再生する機種選択が検出されると、選択された機種に合わせた画面サイズ、映像符号化／音声符号化方式を設定する（ステップＳ３８）。そして、選択されたデータのインデックス（詳細）を表示出力する（ステップＳ４０）。
【００６０】
次に、選択されたデータに複製禁止情報が付与されているか否かを判断する（ステップＳ４２）。そして、複製禁止情報が付与されている場合には、選択されたデータのインデックス（詳細）の書き出しを指示し（ステップＳ４４）、暗号化のためのコードを設定する（ステップＳ４６）。次に、第１のインデックスマークから第２のインデックスマークまでをＭＰＥＧ−４形式のファイルに変換し（ステップＳ４８）、外部記録媒体に記録する（ステップＳ５０）。その後、メインルーチンへ戻る。
【００６１】
一方、複製禁止情報が付与されていない場合には、上記ステップＳ４４、Ｓ４６を実行することなく、第１のインデックスマークから第２のインデックスマークまでをＭＰＥＧ−４形式のファイルに変換し（ステップＳ４８）、外部記録媒体に記録する（ステップＳ５０）。その後、メインルーチンへ戻る。
【００６２】
Ｂ−２．サムネイル一覧表示状態における再生動作（携帯電話９）
図１２は、本実施形態による携帯電話９でのサムネイル一覧表示状態における再生動作を説明するためのフローチャートである。まず、再生指示が検出されたか否かを判断し（ステップＳ６０）、再生指示が検出された場合には、再生指示されたデータが暗号化されているか否かを判断する（ステップＳ６２）。そして、暗号化されていない場合には、そのまま再生出力し（ステップＳ７６）、再生の終了を検出したか否かを判断し（ステップＳ７８）、再生の終了が検出されるまで、再生出力を継続する。一方、再生の終了を検出した場合には、当該処理を終了してメインルーチンへ戻る。
【００６３】
一方、再生指示されたデータが暗号化されている場合には、ネットワークへの接続を開始し（ステップＳ６４）、インデックス情報に基づいて、基地局２２、無線通信サービス事業者２１、ＷＷＷ３を介して、対応する放送システム１のゲートウェイサーバ１３にアクセスする（ステップＳ６６）。次に、セッションが確立されたか否かを判断し（ステップＳ６８）、セッションが確立されない場合には、エラー表示を行い（ステップＳ８０）、当該処理を終了してメインルーチンへ戻る。
【００６４】
一方、セッションが確立された場合には、放送局、番組コードに基づいて生成された暗号を送信し（ステップＳ７０）、暗号解除のための解除コードを受信したか否かを判断する（ステップＳ７２）。そして、解除コードが受信されない場合には、エラー表示を行い（ステップＳ８０）、当該処理を終了してメインルーチンへ戻る。一方、解除コードを受信した場合には、再生するＭＰＥＧ−４形式のファイルの暗号化を解除し（ステップＳ７４）、該データを再生出力する（ステップＳ７６）。次に、再生の終了を検出したか否かを判断し（ステップＳ７８）、再生の終了が検出されるまで、再生出力を継続する。一方、再生の終了を検出した場合には、当該処理を終了してメインルーチンへ戻る。
【００６５】
なお、上述した実施形態において、放送局側から見れば、少なくとも違法コピーによる２次使用を禁止できればよく、どの装置で再生されるのか把握できればよいが、有料放送の場合には、顧客管理データベースを別途備え、ゲートウェイサーバ等１３にて、登録者か否か判断することで暗号解除の許可／不許可を与えるようにしてもよい。
【図面の簡単な説明】
【００６６】
【図１】本発明の実施形態によるメディアコンテンツシステムの構成を示すブロック図である。
【図２】本実施形態によるＤＶＤ／ＨＤＤレコーダ７の構成を示すブロック図である。
【図３】管理情報記憶部７０２のデータ構成を示す概念図である。
【図４】ＭＰＥＧ−４変換テーブル７０２１のデータ構成を示す概念図である。
【図５】記録内容テーブル７０２２のデータ構成を示す概念図である。
【図６】本実施形態による携帯電話９の外観を示す模式図である。
【図７】本実施形態による携帯電話９をムービー再生モードでユーザが保持している場合を示す模式図である。
【図８】本実施形態による携帯電話９の構成を示すブロック図である。
【図９】ＤＶＤ／ＨＤＤレコーダ７のＭＰＥＧ−４変換動作を説明するためのフローチャートである。
【図１０】ＤＶＤ／ＨＤＤレコーダ７のＭＰＥＧ−４変換動作を説明するためのフローチャートである。
【図１１】ＤＶＤ／ＨＤＤレコーダ７のＭＰＥＧ−４変換動作を説明するためのフローチャートである。
【図１２】本実施形態による携帯電話９でのサムネイル一覧表示状態における再生動作を説明するためのフローチャートである。
【符号の説明】
【００６７】
１  デジタル放送システム
３  ＷＷＷ
４  ＩＳＰ（インターネット・サービス・プロバイダ）
５  テレビ
６  ルータ＆ＡＤＳＬモデム
７  ＤＶＤ／ＨＤＤレコーダ（記録装置）
８  外部記録媒体（外部の記録媒体）
９  携帯電話（外部の端末装置）
１１  配信システム
１２  認証システム
１３  ゲートウェイサーバ
１４  メディアコンテンツデータベース
１５  放送システム
１６  放送アンテナ
２１  無線通信サービス事業者（兼ＩＳＰ）
２２、２２、２２  基地局
７０１  チューナ部
７０２  管理情報記憶部
７０２１  ＭＰＥＧ−４変換テーブル
７０２２  記録内容テーブル
７０２３  その他設定内容記憶領域
７０３  制御部（判断手段、記録制御手段、解像度判断手段、符号化判断手段、変換制御手段）
７０４  ＭＰＥＧ−２（ＴＳ）復号化回路
７０５  映像処理部
７０６  音声処理部
７０７  ＡＶ  Ｉ／Ｏ
７０８  通信処理部
７０９  外部記録媒体用スロット
７１０  操作部（選択手段、入力手段）
７１１  ＭＰＥＧ−２（ＴＳ）−ＭＰＥＧ−４変換処理部（変換手段）
７１２  書き込み／読み出し処理部
７１３  ＤＶＤメディア（記録手段）
７１４  ＨＤＤ（記録手段）
７１５  ＲＡＭ
３２  蓋部
３３  本体部
４２  第２ヒンジ部
３５  メインスピーカ
３６  表示部（表示手段）
３７  サブスピーカ
４０  マイク
８０  キー入力部
８１０  テンキー
８１  十字キー
８２  決定キー
８３  アドレス帳キー
８４  ネットワーク接続キー
８５  ムービー再生キー
８６  メールキー
８７  オフフックキー
８８  クリアキー
８９  オンフックキー
１００  第１ヒンジ部
１０１  可動部
１０２  固定部
９０１  受信信号処理部
９０２  内蔵アンテナ
９０３  通信信号処理部
９０４  メインアンテナ
９０５  第１制御部（受信手段）
９０５１  スイッチ回路
９０５２  通信データ処理部
９０５３  システムＲＯＭ
９０５４  インターフェース処理部
９０５５  音声処理部
９０５６  スイッチ回路
９０５７  オーディオアンプ
９０８  バス
ＳＷ  スイッチ
９０９  第２制御部（再生手段、暗号化判断手段、再生制御手段）
９１０  プログラムＲＯＭ
９１１  ＲＡＭ
９１２  圧縮伸張処理部
９１３  報知ドライバ
９１４  報知用ＬＥＤ
９１５  スピーカ
９１６  音声出力系ドライバ
９３０  カメラレンズ
９３１  撮像デバイス
９３２  ＤＳＰ
９４０  メモリカードスロット
９４２  表示バッファ
９４３  表示ドライバ
【図１】
2006319741.tif 000003
【図２】
2006319741.tif 000004
【図３】
2006319741.tif 000005
【図４】
2006319741.tif 000006
【図５】
2006319741.tif 000007
【図６】
2006319741.tif 000008
【図７】
2006319741.tif 000009
【図８】
2006319741.tif 000010
【図９】
2006319741.tif 000011
【図１０】
2006319741.tif 000012
【図１１】
2006319741.tif 000013
【図１２】
2006319741.tif 000014